(57)【要約】【課題】簡単な構成で、高速で、再現性のあるプリントが実現でき、しかも濃度ムラや白い筋などの帯状ノイズが発生しない画像印画装置の提供を目的とする。【解決手段】液体をノズルから吐出させるための圧力発生手段を複数個配設し、ノズルプレートを備えたヘッドチップと前記圧力発生手段を駆動する駆動回路を有するヘッドが長手方向に千鳥状に配列され、隣接するヘッドチップとの間に所定数のノズルが重なり合う重複部が形成されたラインヘッドで記録媒体に画像形成するインクジェット印画装置において、画像データを記憶する画像メモリと、前記画像メモリから読み出した画像データを前記画像メモリのアドレスの何れかのビットに基づいて変更する制御手段と、を有する【選択図】図１
2007144847.tif 000002
【特許請求の範囲】
【請求項１】
液体をノズルから吐出させるための圧力発生手段を複数個配設し、ノズルプレートを備えたヘッドチップと前記圧力発生手段を駆動する駆動回路を有するヘッドが長手方向に千鳥状に配列され、隣接するヘッドチップとの間に所定数のノズルが重なり合う重複部が形成されたラインヘッドで記録媒体に画像形成するインクジェット印画装置において、
画像データを記憶する画像メモリと、
前記画像メモリから読み出した画像データを前記画像メモリのアドレスの何れかのビットに基づいて変更する制御手段と、を有することを特徴とするインクジェット印画装置。
【請求項２】
前記画像メモリは、前記ヘッドに対応し、前記ヘッドのノズル数と同じ画素数の幅の画像データを有することを特徴とする請求項１に記載のインクジェット印画装置。
【請求項３】
前記画像メモリの画像データは、隣接する前記ヘッドのノズルの重複部に対応する画素が重複することを特徴とする請求項１または２に記載のインクジェット印画装置。
【請求項４】
前記制御手段は、前記画像メモリから読み出した画像データの重複する画素をマスクしてヘッドに送信することを特徴とする請求項１乃至３のいずれか１項に記載のインクジェット印画装置。
【発明の詳細な説明】
【技術分野】
【０００１】
本発明は、インクジェット印画装置に関し、詳しくは、印画媒体の幅相当の長さに複数のノズルが配列され、前記ノズルから前記印画媒体へ向けてインクを吐出することにより画像を印画するライン型のインクジェット印画装置に関する。
【背景技術】
【０００２】
インクジェット印画装置には、インクジェットヘッド（以下ヘッドとも言う）のノズルから画像信号による吐出制御を受けたインクの小さな液滴を印画媒体へ吐出しながらインクジェットヘッドを主走査方向に移動させて１ライン分の画像印画を行った後、印画媒体を１ライン分副走査方向へ搬送し、再びインクジェットヘッドのノズルからインクの小さな液滴を印画媒体へ吐出して画像を１ライン分印画し、以下、これを繰り返すことで印画媒体上に画像を形成するものがある。
【０００３】
また、他のインクジェット印画装置として、インクジェットヘッドを、インクを吐出するノズルを等間隔ピッチで印画媒体の略最大印画幅の長さに配置した長尺状に構成し、装置本体に対して固定したラインヘッドとするものがある。この構成によれば、インクジェットヘッドの主走査方向の移動が不要となり、主走査方向と直交する印画媒体の副走査方向の搬送のみで画像形成を行うことができるので、高速画像形成を行うことができる。
【０００４】
しかしながら、高速画像形成のため、１回の副走査方向の搬送のみで画像形成を行う場合、ラインヘッドのノズルピッチにより、主走査方向の印画解像度が決定される。従って主走査方向の印画のドットピッチを細かくするにはラインヘッドのノズルのピッチを細かくしてドットピッチを小さくすることが考えられるが、ノズルのピッチを小さくするには加工限界があることから、ドットピッチを小さくすることによる印字精度には限界があり、また長尺状のフルラインヘッドの場合、１ノズルでも不良のノズルがあればラインヘッドが不良とされ、価格的にも高価になるという問題がある。
【０００５】
そこで、１直線上にノズルが配置されたプリントヘッドを、印画媒体の幅方向に向けて、印画媒体の全幅にわたって隙間なく互い違いに配列させた千鳥状のラインヘッドが提案されている（特許文献１参照）。
【０００６】
前記ラインヘッドを用いた場合、隣接するヘッドを重複させて配置し、重複したノズルの中間の位置でノズルを切り換えて吐出させる方法をとっている。しかし、ヘッドの位置のズレによって重複したノズルがノズルの配列方向に僅かにずれて、ヘッド間のノズルの間隔がヘッド内のノズル間の間隔より広かったり、狭かったりした場合、画像印画装置で印画媒体に印画した結果、ヘッドの繋ぎ目で濃度ムラや白い筋の帯状ノイズが印画媒体上に発生するという問題がある。このような不具合を解消するため、１ライン印画するたびに乱数を発生させ、その乱数に基づいて、重複するノズルの切り換え位置を変更するように制御した画像形成方法が提案されている（特許文献２参照）。
【特許文献１】特開平１１−３４３６０号公報
【特許文献２】特開２００４−５０４４５号公報
【発明の開示】
【発明が解決しようとする課題】
【０００７】
しかしながら、１ライン印画する毎に乱数を発生させて、乱数に基づいてノズルの切り換え位置を変更するので時間的余裕が少なくなり、高速での印画が困難になる。
【０００８】
また、予め乱数のテーブルを記憶装置に記憶しておき、１ライン印画する毎に記憶装置から読み出した乱数に基づいてノズルの切り換え位置を変更するので、複雑な回路が必要になる。
【０００９】
さらに、複数枚プリントした場合、厳密には各枚葉毎にノズル重複部の切り換え位置が一定しないのでプリント結果が異なり、再現性がなくなり、精密な画像評価ができなくなるという問題が発生する。
【００１０】
そこで、本発明は、高速で安定した画像形成を行うことが可能なインクジェット印画装置の提供を目的とするものである。すなわち、本発明では、複数のプリントヘッドを千鳥状に配列させたインクジェット印画装置において、複雑な回路を設けることなく、濃度ムラや白スジの帯状ノイズを発生させることのないインクジェット印画装置を提供することを目的とする。また、本発明では、ノズル重複部の切り換え位置が一定となり、複数枚のプリントを良好に再現することの可能なインクジェット印画装置を提供することを目的とする。
【課題を解決するための手段】
【００１１】
本発明の目的は、以下のような構成により達成される。
（１）
液体をノズルから吐出させるための圧力発生手段を複数個配設し、ノズルプレートを備えたヘッドチップと前記圧力発生手段を駆動する駆動回路を有するヘッドが長手方向に千鳥状に配列され、隣接するヘッドチップとの間に所定数のノズルが重なり合う重複部が形成されたラインヘッドで記録媒体に画像形成するインクジェット印画装置において、
画像データを記憶する画像メモリと、
前記画像メモリから読み出した画像データを前記画像メモリのアドレスの何れかのビットに基づいて変更する制御手段と、を有することを特徴とするインクジェット印画装置。
（２）
前記画像メモリは、前記ヘッドに対応し、前記ヘッドのノズル数と同じ画素数の幅の画像データを有することを特徴とする（１）に記載のインクジェット印画装置。
（３）
前記画像メモリの画像データは、隣接する前記ヘッドのノズルの重複部に対応する画素が重複することを特徴とする（１）または（２）に記載のインクジェット印画装置。
（４）
前記制御手段は、前記画像メモリから読み出した画像データの重複する画素をマスクしてヘッドに送信することを特徴とする（１）乃至（３）のいずれか１項に記載のインクジェット印画装置。
【発明の効果】
【００１２】
本発明によれば、１回の走査で高精細な印画が可能であり、複雑な機構の必要が無くて印画媒体上に形成される画像に濃度ムラや白い筋の発生を防止することができる。
【発明を実施するための最良の形態】
【００１３】
以下に本発明に関する実施の形態の例を示すが、本発明の態様はこれらに限定されるものではない。
【００１４】
以下、本発明の実施の形態について図面を用いて説明する。
【００１５】
図１は、本発明に係るインクジェット印画装置の主要部を示す斜視図である。なお、ライン型のインクジェット印画装置は、ラインヘッドと印画媒体を副走査方向（移動方向）へ相対的に移動させることにより画像印画を行うことができる。ここでは、このラインヘッドと印画媒体の副走査方向の相対移動について、ラインヘッドを固定状とし、印画媒体を副走査方向へ移動させる形態を例に挙げて説明するが、その逆にラインヘッドを副走査方向に移動させてもよい。
【００１６】
図中、２は、インクジェット印画装置１に設置された複数のヘッドが千鳥状に配列されたラインヘッドであり、ケーブル３によって制御基板４と図示しないホストＰＣ（Ｐｅｒｓｏｎａｌ  Ｃｏｍｐｕｔｅｒ）が接続されている。なお、ラインヘッド２は、印画媒体Ｐに対向した面を除いて、カバー２００により覆われている。また、フルカラーの画像印画を行う場合、例えばＹＭＣＫの各色のインクを吐出するためのラインヘッドが各色毎に配置されるが、ここでは、一つのラインヘッド２を備えたものについて説明する。
【００１７】
印画媒体Ｐは、印画媒体Ｐを搬送する印画媒体搬送機構５の上のテーブルに載置され、図中矢印Ｘで示す方向に一定速度で搬送される。
【００１８】
ラインヘッド２は、印画媒体Ｐの面と図示するように対向して設置され、その長手方向は、矢印Ｘ方向で示す印画媒体Ｐの搬送方向と直交する図中矢印Ｙ方向に延びている。
【００１９】
このラインヘッド２には、印画媒体Ｐの面と対向している本図では隠れている面に、Ｙ方向に沿って印画媒体Ｐの幅相当の長さに多数のノズルが等間隔で配列されている。この多数のノズルより図示しないホストＰＣ（Ｐｅｒｓｏｎａｌ  Ｃｏｍｐｕｔｅｒ）からの画像信号に従って印画媒体Ｐにインクが吐出されることにより、印画媒体Ｐの矢印Ｘ方向の搬送と相俟って印画媒体Ｐの面に画像が形成される。即ち、１回の搬送で所定の画像形成領域の印画処理が完了することにより高速で画像形成がなされる。
【００２０】
なお、ラインヘッド２には不図示の中間タンクからインク供給管６を通じてインクが供給されるようになっている。
【００２１】
図２は、本発明に係る制御基板４のブロック図である。
【００２２】
制御部（制御手段）２２は、たとえば、ＣＰＵ２２１、ＲＯＭ２２２、ＲＡＭ２２３からなり、ＲＯＭ２２２に記録された処理プログラムをＲＡＭ２２３に展開してＣＰＵ２２１によりこの処理プログラムが実行される。
【００２３】
この制御部２２は、前述の処理プログラムに従い、ホストＰＣＩ／Ｆ２３、ヘッド駆動部２４１〜２４６、アドレス選択部２６とバス７で接続され、各部の動作状況等のステータスに基づいて、各部の動作を制御する。
【００２４】
ホストＰＣＩ／Ｆ２３は、ホストＰＣ（Ｐｅｒｓｏｎａｌ  Ｃｏｍｐｕｔｅｒ）とのインタフェースであり、ケーブル３でホストＰＣと接続されている。印画のための各種信号や画像データの送受信を行う。
【００２５】
ヘッド駆動部２４１は、印画する画像データを格納する画像メモリ２４１１、画像メモリ２４１１から読み出した画像データをビットマスクするゲート２４１４、マスクされた画像データがパラレルに書き込まれるシフトレジスタ２４１２、ヘッド２５１を駆動する信号を発生させるヘッド制御信号発生部２４１３からなる。シフトレジスタ２４１２の内容は、ヘッド２５１にシリアル転送される。また、ヘッド制御信号発生部２４１３で発生した制御信号もヘッド２５１へ送信される。なお、画像データは、画像メモリ２４１１内のアドレスカウンタ（不図示）によりアドレスが指定され、読み出される。アドレスカウンタは１ライン印画がなされる度にカウントアップする。
【００２６】
ヘッド駆動部２４２〜２４６は、ヘッド駆動部２４１と同様に、それぞれ、画像メモリ、ゲート、シフトレジスタ、ヘッド制御信号発生部からなり、画像データや制御信号をヘッド２５２〜２５６へ送信する。
【００２７】
アドレス選択部２６は、画像メモリのアドレスカウンタのビットを選択し、画像データがシフトレジスタにパラレル送信される際にビットマスクするゲート２４１４〜２４６４の入力信号を発生する。
【００２８】
ヘッド２５１〜２５６は、インクジェットヘッドでありヘッド駆動部２４１〜２４６から送信された画像データにしたがってインクを吐出し印画媒体上に画像を形成する。
【００２９】
図３は、ラインヘッドに配設されたヘッドと印画媒体の位置関係を示す図である。
【００３０】
奇数番目のヘッド２５１、２５３、２５５と偶数番目のヘッド２５２、２５４、２５６はそれぞれノズル列がラインヘッド長手方向（Ｙ方向）に一直線上に配置されており、さらに、隣あうヘッドの両端が重複するように配置してある。
【００３１】
図３では、例として、ヘッドを６個並べているが、その限りではない。ヘッドの数は印画媒体Ｐの幅や解像度によって決まる。印画媒体ＰはＸ方向に搬送される。
【００３２】
図４は本発明に係る画像形成動作を示すフローチャートである。
【００３３】
図４を用いて本発明についての動作を説明する。
【００３４】
ステップＳ１では、ホストＰＣＩ／Ｆ２３経由でホストＰＣから画像データが送信される。画像データは、各ヘッド毎に画像メモリ２４１１〜２４６１に記憶される。画像データの画像メモリでの割付は図５及び図６において詳述する。
【００３５】
ステップＳ２では、予め制御部２２に記憶している設定値１がアドレス選択部２６にセットされる。設定値１とは、画像メモリのアドレスカウンタ（不図示）のビットを指す。例えば、設定値１は、アドレスカウンタが１６ビットの場合、下位桁からＭＡ０、ＭＡ１、ＭＡ２〜ＭＡ１５のうち何れかのビットを意味する。
【００３６】
例えば、設定値１がＭＡ０であった場合、偶数番目のヘッドに接続される画像メモリのアドレスカウンタ値ＭＡ０がアドレス選択部２６に入力され、奇数番目のヘッドのアドレスカウンタ値ＭＡ０の反転値がアドレス選択部２６に入力される。印画する際に、偶数番目のヘッドのアドレスカウンタ値ＭＡ０が０になったとき、すなわち、画像メモリのアドレスが偶数の時にはゲート２４２４が開かれてシフトレジスタには画素データが入り、逆に画像メモリのアドレスが奇数の時にはゲート２４２４は閉じられるのでシフトレジスタには０が入る。
【００３７】
一方、奇数番目のヘッドのアドレスカウンタ値ＭＡ０が０になったとき、すなわち、画像メモリのアドレスが奇数の時にはゲート２４１４が開かれてシフトレジスタには画素データが入り、逆に画像メモリのアドレスが偶数の時にはゲート２４１４は閉じられるのでシフトレジスタには０が入る。
【００３８】
このようにして、重複部では奇数番目と偶数番目のヘッドのノズルが交互に吐出することになる。
【００３９】
また、設定値１がＭＡ１を指す場合は、重複部では奇数番目と偶数番目のヘッドのノズルが２ライン毎に交互に吐出することになる。
【００４０】
ステップＳ３では、搬送機構５のテーブルの搬送を開始する。
【００４１】
ステップＳ４では、搬送機構５のテーブルが偶数番目のヘッドの印画開始位置に搬送されたかを判断する。印画開始位置に搬送された場合（ステップＳ４：ＹＥＳ）はステップＳ５へ、まだ到達していないか、通り過ぎた場合（ステップＳ４：ＮＯ）はステップＳ６へ進む。
【００４２】
ステップＳ５では、偶数ヘッドに繋がるヘッド駆動部２４２、２４４、２４６に印画開始指示を出す。
【００４３】
ステップＳ６では、搬送機構５のテーブルが奇数番目のヘッドの印画開始位置に搬送されたかを判断する。印画開始位置に搬送された場合（ステップＳ６：ＹＥＳ）はステップＳ７へ、まだ到達していない場合（ステップＳ６：ＮＯ）はステップＳ４へ進む。
【００４４】
ステップＳ７では、奇数ヘッドに繋がるヘッド駆動部２４１、２４３、２４５に印画開始指示を出す。
【００４５】
偶数番目のヘッド印画開始指示を受けてヘッド駆動部２４２、２４４、２４６では各々以下の動作を実行する。
【００４６】
ステップＳ１１では、画像データを画像メモリから読み出し、シフトレジスタにパラレルに転送する。このとき、ゲート２４２４、２４４４（不図示）、２４６４によって画像データは、ビットマスクされてシフトレジスタ２４２２、２４４２（不図示）、２４６２にパラレルに転送される。
【００４７】
ステップＳ１２では、シフトレジスタの内容をヘッドへシリアル転送するとともにヘッド制御信号発生部２４２３、２４４３（不図示）、２４６３で発生した転送クロック、ラッチクロック、駆動ＯＮ信号などをヘッドに送信する。
【００４８】
ステップＳ１３では、ヘッド２５２、２５４、２５６はシフトレジスタの内容に基づいてノズルからインクを吐出し、１ラインを印画する。１ライン印画後、画像メモリのアドレスカウンタは、カウントアップされる。
【００４９】
ステップＳ１４では、１ページ分の印画が終わったかを判断する。１ページ分印画終了の場合（ステップＳ１４：ＹＥＳ）は動作を終了する。終了していない場合（ステップＳ１４：ＮＯ）は、ステップＳ１１に戻り、印画を継続する。
【００５０】
奇数番目のヘッド印画開始指示を受けてヘッド駆動部２４１、２４３（不図示）、２４５（不図示）では各々以下の動作を実行する。
【００５１】
前述したステップＳ１１〜１４では偶数番目のヘッドに接続されたヘッド駆動部に適用されるところが、ステップＳ２１〜２４では、奇数番目のヘッドに接続されるヘッド駆動部に適用されることを除いて、同様の動作を行うので説明を省略する。
【００５２】
なお、印画する画像データの画像メモリからの読み出しでは、偶数番目のヘッドに接続される画像メモリのアドレスカウンタは同時にカウントをはじめる（ステップＳ５の偶数ヘッド印画開始指示）ので同じ値になるし、奇数番目の画像メモリに接続される画像メモリのアドレスカウンタは同時にカウントをはじめる（ステップＳ７の奇数ヘッド印画開始指示）ので同じ値になる。
【００５３】
図５は、本発明に係る奇数番目のヘッドと偶数番目のヘッドが１ノズル重複した場合の画像メモリの画素割付を示した図である。各ヘッドのノズル数と画像メモリの画素番号で示される画素数の幅は同じである。
【００５４】
図では、ヘッド２５１に係る画像メモリ２４１１、ヘッド２５２に係る画像メモリ２４２１およびヘッド２５３に係る画像メモリ２４３１についての画素割付を示しているが、ヘッド２５４〜２５６に係る画像メモリ２４４１〜２４６１については省略している。画素番号０、１、２〜ａは、ヘッドのノズル数と同じ幅を持つ。画素番号０〜ａで示される画素が１度のシリアル転送でヘッドに転送される。アドレスは００００番地から１ページ分あり、前述したアドレスカウンタで指されたアドレスの画像データが読み出される。
【００５５】
ここでは、図３に示した重複部が１ノズルの場合である。図５の画像メモリ２４１１の画素番号０と画像メモリ２４２１の画素番号ａが重複する画素であり、アドレス００００から１ページ分に渡って、この重複する画素においては同じデータが重複して記憶されている。同様に、画像メモリ２４２１の画素番号０と画像メモリ２４３１の画素番号ａが重複する画素であり、アドレス００００から１ページ分に渡って、この重複する画素においては同じデータが記憶されている。
【００５６】
図６は、本発明に係る奇数番目のヘッドと偶数番目のヘッドが８ノズル重複した場合の画像メモリの画素割付を示した図である。
【００５７】
重複部が８ノズルの場合、図２のゲート２４１４は８個のゲートになり、ゲート２４２４には８個のゲートが２組必要となる。
【００５８】
図６の画像メモリ２４１１の画素番号０〜７と画像メモリ２４２１の画素番号ａ〜ｈが重複する画素でアドレス００００から１ページ分に渡って、この重複する画素においては同じデータが重複して記憶されている。同様に、画像メモリ２４２１の画素番号０〜７と画像メモリ２４３１の画素番号ａ〜ｈが重複する画素でアドレス００００から１ページ分に渡って、この重複する画素においては同じデータが重複して記憶されている。
【００５９】
図７は、本発明に係る隣接したヘッドのノズルの重複と印画媒体に記録した関係を示す図である。
【００６０】
例えば、黒点はヘッド２５１のノズルが吐出したドットであり、白点はヘッド２５２のノズルで吐出したドットである。
【００６１】
図７（ａ）は、隣接したヘッドが１ノズル重複した場合のノズルと印画媒体にノズルがインクを吐出した状態を示し、（ｂ）は、隣接したヘッドが８ノズル重複した場合のノズルと印画媒体にノズルがインクを吐出した状態を示している。例えば、図７（ａ）は、ヘッド２５１とヘッド２５２が１ノズルの重複部を持っており、吐出結果Ｍ０１では、アドレス選択部２６がアドレスカウンタＭＡ０を選択するので、１ライン毎にヘッド２５１とヘッド２５２で交互に重複ノズルから吐出している。吐出結果Ｍ１１では、アドレス選択部２６がアドレスカウンタＭＡ１を選択するので、２ライン毎に、吐出結果Ｍ２１では、アドレス選択部２６がアドレスカウンタＭＡ２を選択するので、４ライン毎に、ヘッド２５１とヘッド２５２で交互に重複ノズルから吐出している。
【００６２】
また、図７（ｂ）は、ヘッド２５１とヘッド２５２が８ノズルの重複部を持っており、吐出結果Ｍ０２では、１ライン毎にヘッド２５１とヘッド２５２で交互に重複ノズルから吐出している。同様に、吐出結果Ｍ１２では、２ライン毎に、Ｍ２２では、４ライン毎にヘッド２５１とヘッド２５２で交互に重複ノズルから吐出している。
【００６３】
なお、重複ノズル数は上記した１、８に限らない。
【００６４】
図８は、図２のブロック図のシフトレジスタ２４１２、２４２２の周辺を拡大した図である。ヘッド２５１と２５２の重複部は４ノズルとしている。
【００６５】
図８では、アドレス選択部２６からの出力をゲート入力への接続を図２とは異ならせて重複部のノズルからの吐出パターンを変更させた例である。
【００６６】
ゲート２４１４を４ヶのゲート２４１４１〜２４１４４、ゲート２４２４を同じく４つのゲート２４２４１〜２４２４４と４つのゲート２４２４５〜２４２４８に詳細に記載したものである。各ゲートの一方の入力端子には画像メモリ２４１１、２４２１からの画像データが入る、他方の入力端子にはアドレス選択部２６からの信号が入る。
【００６７】
アドレス選択部出力２６１がゲート２４１４２、２４１４４とゲート２４２４１、２４２４３、２４２４５、２４２４７の入力端子に入り、アドレス選択出力２６２がゲート２４１４１、２４１４３とゲート２４２４２、２４２４４、２４２４６、２４２４８の入力端子に入るので、吐出結果は、ノズル重複部で１ノズルおきにヘッド２５１と２５２から吐出される。
【００６８】
図９に吐出結果を示す。図７で上述したのと同様に、吐出結果Ｍ０３では、１ライン毎にヘッド２５１とヘッド２５２で交互に重複ノズルから吐出している。吐出結果Ｍ１３では、２ライン毎に、吐出結果Ｍ２３では、４ライン毎に、ヘッド２５１とヘッド２５２で交互に重複ノズルから吐出している。
【００６９】
その他、インクジェット印画装置を構成する各構成の細部構成及び細部動作に関しても、本発明の趣旨を逸脱することのない範囲で適宜変更可能である。
【図面の簡単な説明】
【００７０】
【図１】本発明に係るインクジェット印画装置の主要部を示す斜視図である。
【図２】本発明に係る制御基板４のブロック図である。
【図３】ラインヘッドに配設されたヘッドと印画媒体の位置関係を示す図である。
【図４】本発明に係る画像形成動作を示すフローチャートである。
【図５】本発明に係る奇数番目のヘッドと偶数番目のヘッドが１ノズル重複した場合の画像メモリの画素割付を示した図である。
【図６】本発明に係る奇数番目のヘッドと偶数番目のヘッドが８ノズル重複した場合の画像メモリの画素割付を示した図である。
【図７】本発明に係る隣接したヘッドのノズルの重複と印画媒体に記録した関係を示す図である。
【図８】図２のブロック図のシフトレジスタ２４１２、２４２２の周辺を拡大した図である。
【図９】図８における印画媒体に吐出した結果である。
【符号の説明】
【００７１】
１  インクジェット印画装置
２  ラインヘッド
３  ケーブル
４  制御基板
５  印画媒体搬送機構
２２  制御部
２６  アドレス選択部
２４１  ヘッド駆動部
２４１１  画像メモリ
２４１２  シフトレジスタ
２４１３  ヘッド制御信号発生部
２４１４  ゲート
２５１〜２５６  ヘッド
【図１】
2007144847.tif 000003
【図２】
2007144847.tif 000004
【図３】
2007144847.tif 000005
【図４】
2007144847.tif 000006
【図５】
2007144847.tif 000007
【図６】
2007144847.tif 000008
【図７】
2007144847.tif 000009
【図８】
2007144847.tif 000010
【図９】
2007144847.tif 000011